(57)【特許請求の範囲】
【請求項１】
基地局と通信するデバイス・ツー・デバイス通信可能な端末であって、
前記端末を他の端末に発見させる発見信号を送信するためのリソースに関する条件が設定された制御情報を受信する受信部と、
前記基地局のカバレッジエリア内では、前記制御情報が示す閾値よりも大きい前記リソースの信号電力の検出に基づき前記発見信号を前記他の端末に第１の周波数で送信し、前記基地局のカバレッジエリア外では、予め設定されたリソースに基づき前記発見信号を前記他の端末に第２の周波数で送信する制御部と、
を備える端末。
【請求項２】
デバイス・ツー・デバイス通信可能な少なくとも１つ以上の端末と通信する基地局であって、
前記端末を他の端末に発見させる発見信号を前記端末が送信するためのリソースに関する条件が設定された制御情報を前記端末に送信する送信部を備え、
前記端末により前記他の端末に送信される前記発見信号は、前記基地局のカバレッジエリア内では前記制御情報が示す閾値よりも大きい前記リソースの信号電力の検出に基づき第１の周波数で送信され、前記基地局のカバレッジエリア外では予め設定されたリソースに基づき第２の周波数で送信される、基地局。
【請求項３】
基地局と通信するデバイス・ツー・デバイス通信可能な端末が実行する通信方法であって、
前記端末を他の端末に発見させる発見信号を送信するためのリソースに関する条件が設定された制御情報を受信する受信ステップと、
前記基地局のカバレッジエリア内では、前記制御情報が示す閾値よりも大きい前記リソースの信号電力の検出に基づき前記発見信号を前記他の端末に第１の周波数で送信し、前記基地局のカバレッジエリア外では、予め設定されたリソースに基づき前記発見信号を前記他の端末に第２の周波数で送信する制御ステップと、
を備える通信方法。
【請求項４】
デバイス・ツー・デバイス通信可能な少なくとも１つ以上の端末と通信する基地局が実行する通信方法であって、
前記端末を他の端末に発見させる発見信号を前記端末が送信するためのリソースに関する条件が設定された制御情報を前記端末に送信する送信ステップを備え、
前記端末により前記他の端末に送信される前記発見信号は、前記基地局のカバレッジエリア内では前記制御情報が示す閾値よりも大きい前記リソースの信号電力の検出に基づき第１の周波数で送信され、前記基地局のカバレッジエリア外では予め設定されたリソースに基づき第２の周波数で送信される、通信方法。
【発明の詳細な説明】
【技術分野】
【０００１】
本開示は、一般に、電気通信に関し、より詳しくは、改善された近接サービス発見に関する。
【背景技術】
【０００２】
セルラーネットワークまたは他の電気通信システムの２つのモバイル通信デバイスが互に通信するときに、それらのデータ経路は、オペレータ・ネットワークを通過する。ネットワークを通るデータ経路は、基地局および／またはゲートウェイを含みうる。デバイスが互いにごく近接している場合、それらのデータ経路は、ローカル基地局を通って局所的にルーティングされてもよい。ごく近接した２つのモバイルデバイスでは、基地局を通過する必要なしに、直接リンクを確立することも可能である。近接性ベースのアプリケーションおよびサービスは、互いに近接した範囲内にあるモバイルデバイスの発見を必要とする。近接性は、所定の近接性基準が満たされたときに確定される。モバイル通信における速度、スループット、および効率の向上に対する要求が高まり、近接性ベースのアプリケーションおよびサービスを含めて、ワイヤレス通信プロセス、システム、およびデバイスを継続的に改善することが必要である。
【発明の概要】
【課題を解決するための手段】
【０００３】
モバイル通信における近接性ベースのアプリケーションおよびサービスに関する発見を改善するためのシステム、デバイス、および方法が記載される。
【０００４】
一態様において、基地局が提供される。基地局は、情報生成モジュールおよび情報送信モジュールを含むことができる。情報生成モジュールは、モバイルデバイスに近接サービスに関する発見信号送信手順を開始させるための制御情報を生成できる。発見信号送信手順は、モバイルデバイスが発見されることを可能にする１つ以上の手順を含むことができる。発見信号は、モバイルデバイスが発見されることを可能にするために用いることができる。発見信号は、モバイルデバイスが発見側デバイスに近接していることを発見側モバイルデバイスに通知できる。情報送信モジュールは、制御情報をモバイルデバイスへ送信できる。
【０００５】
別の態様では、モバイルデバイスが提供される。モバイルデバイスは、情報受信モジュール、制御モジュール、および信号送信モジュールを含むことができる。情報受信モジュールは、制御情報を受信できる。制御モジュールは、情報受信モジュールが制御情報を受信したことに基づいて近接サービスに関する発見信号送信手順を開始できる。発見信号送信手順は、モバイルデバイスを発見することを可能にする、発見信号を生成することを含むことができる。発見信号送信手順は、発見信号の周期的な発生を含むことができる。信号送信モジュールは、発見信号をブロードキャストすることができる。
【０００６】
これらの例示的な態様および特徴は、本発明を限定または規定するためではなく、本開示に示される発明の概念の理解を助ける例を提供するために記載される。本発明の他の態様、利点、および特徴は、本開示全体を再吟味した後に明らかになるであろう。
【図面の簡単な説明】
【０００７】
【図１】本発明の例示的な実施形態に従って、ライセンス取得周波数スペクトルにおける近接サービスを用いた電気通信システムの例を示すブロック図である。
【図２】本発明の例示的な実施形態に従って、ライセンス取得周波数スペクトルにおける近接サービス発見を用いた電気通信システムの例を示すブロック図である。
【図３】本発明の例示的な実施形態に従って、ライセンス取得周波数スペクトルにおけるモバイルデバイスの近接サービス発見を制御するための基地局の例を示すブロック図である。
【図４】本発明の例示的な実施形態に従って、ライセンス取得周波数スペクトルにおける他のモバイルデバイスの近接サービス発見を行うためのモバイルデバイスの例を示すブロック図である。
【図５】本発明の例示的な実施形態に従って、発見信号をブロードキャストまたは別の方法で送信する例を示すモデリング図である。
【図６】本発明の例示的な実施形態に従って、ネットワーク制御されたモバイルデバイスの近接サービス発見のための通信フローの例を示すモデリング図である。
【図７】本発明の例示的な実施形態に従って、ネットワーク制御されたネットワークデバイスの近接サービス発見のための通信フローの例を示すモデリング図である。
【図８】本発明の例示的な実施形態に従って、近接サービス発見信号送信手順を半自律的に開始するモバイルデバイスのための通信フローの例を示すモデリング図である。
【図９】本発明の例示的な実施形態に従って、近接サービス発見信号送信手順を半自律的に開始するネットワークデバイスのための通信フローの例を示すモデリング図である。
【図１０】本発明の例示的な実施形態に従って、近接サービス発見信号送信手順を半自律的に開始するモバイルデバイスのための通信フローの代わりの例を示すモデリング図である。
【図１１】本発明の例示的な実施形態に従って、近接サービス発見信号送信手順を半自律的に開始するネットワークデバイスのための通信フローの代わりの例を示すモデリング図である。
【図１２】本発明の例示的な実施形態に従って、近接サービス発見信号送信手順を自律的に開始するモバイルデバイスのための通信フローの例を示すモデリング図である。
【図１３】本発明の例示的な実施形態に従って、近接サービス発見信号送信手順を自律的に開始するネットワークデバイスのための通信フローの例を示すモデリング図である。
【発明を実施するための形態】
【０００８】
ある態様および例は、電気通信システムにおけるライセンス取得周波数スペクトルを用いて近接性ベースのデバイス発見を行うためのシステムおよび方法に関する。いくつかの態様において、電気通信システムの基地局または他のネットワーク制御デバイスは、近接性ベースの発見を管理できる。基地局は、電気通信ネットワークにおいてモバイルデバイスが発見されるか、または他のデバイスを発見することを可能にする制御信号または他の制御情報を生成できる。例えば、モバイルデバイスは、近接サービスに利用可能な他のデバイスを発見できる。モバイルデバイスは、ライセンス取得周波数スペクトルの周波数バンドを用いて他のモバイルデバイスを発見できる。モバイルデバイスは、発見手順を行うことをモバイルデバイスに指示するリクエスト情報を受信したことに基づいて、他のデバイスを発見し始めるか、または、他のデバイスによって発見され始めることができる。発見手順（または近接性発見手順）は、（以下には限定されないが）発見信号送信手順および／または発見信号検出手順を含むことができる。発見信号送信手順は、（以下には限定されないが）モバイルデバイスを発見することを可能にする発見信号をブロードキャストまたは別な方法で送信することを含むことができる。発見信号検出手順は、（以下には限定されないが）別のデバイスからの発見信号を検出することを含むことができる。発見信号の検出は、発見信号を送信しているデバイスを識別するのに十分であってもなくてもよい。
【０００９】
他の態様では、モバイルデバイスは、発見信号送信手順を開始する許可が与えられたことをモバイルデバイスに通知する許容情報を受信した後に、予め設定された「トリガ」条件に基づくか、および／または、さらなる許容条件が満たされたことに基づいて発見信号送信手順を半自律的に開始できる。例えば、発見信号をブロードキャストまたは別な方法で送信するように許可されるか、および／またはトリガされるデバイスは、基地局によって予め設定されるか、または別の方法で識別された１つ以上のリソースを用いてそのようにすることができる。発見信号をブロードキャストまたは別の方法で送信するために用いられるリソースの非限定の例は、時間、周波数、空間レイヤ、拡散コードまたはシーケンスなどを含むことができる。いくつかの態様において、デバイスは、１つ以上の予め設定されたリソースを用いて、発見信号を周期的または非周期的に送信できる。他の様態では、デバイスは、決定性アルゴリズムを用いて１つ以上の予め設定された発見信号送信用リソースを選択することができる。他の態様では、デバイスは、予め設定された複数の発見信号送信用リソースから１つ以上のリソースをランダムに選ぶことができる。別の例では、デバイスは、基地局によって予め設定されたリソースには関係なく、自律的に発見信号送信用リソースを選ぶことができる。
【００１０】
他の態様では、モバイルデバイスは、基地局からリクエスト情報または許容情報のいずれも受信することなく、トリガ条件に基づいて自律的に発見手順を開始できる。追加または代わりの態様では、モバイルデバイスは、ローカル基地局または他の固定ネットワークデバイス、例えば、モバイルデバイスと通信するように構成されたデスクトップコンピュータなど、電気通信システムにおいて通信に利用可能な他のデバイスを発見するか、または他のデバイスによって発見されることができる。一例として、小売店、レストランなどのような商業施設によって、またはそれらのために動作するデバイスが、それが発見されることを可能にする発見信号を送信して、その発見信号を潜在的な消費者によって動作するデバイスが発見し、それによって、商業施設が近くにあることをユーザに知らせることができる。
【００１１】
ライセンス取得周波数スペクトルを用いて近接性ベースの発見を行うと、ライセンス未取得周波数スペクトルを用いて発見を行うことに関連する不利益を軽減できる。ライセンス未取得振動数バンドは、デバイス間の通信がデータ配信、サービス・レベルの品質、または一定の優先順位のいずれの保証も含まない「ベスト・エフォート」型のサービスを提供する。さらにまた、ライセンス未取得周波数バンドで動作するシステムは、しばしば複数のシステムが同じライセンス未取得スペクトルを用いるので、そのライセンス未取得スペクトルのすべてのユーザに適用できるネットワーク・ベースのリソース管理を提供することはできない。それに対して、ライセンス取得周波数スペクトルを用いると、性能レベル、例えば、他のデバイスからの最小限の干渉問題、サービス・レベルの品質、ネットワークにおけるデバイス間のリソース・アロケーション、データ・スループットの維持などの保証が可能である。ライセンス取得周波数スペクトルを用いて近接性ベースの発見を行うと、ネットワークノードごとの条件を考慮したネットワーク・ベースの無線リソース管理が提供できる。ライセンス取得周波数スペクトルを用いて近接ベースの発見を行うと、オペレータによる規制を提供することもできる。ネットワーク・ベースの無線リソース管理は、ユーザによるエンド・ツー・エンド・エクスペリエンスを改善し、サービスの品質を維持することを可能にする。例えば、ライセンス取得周波数スペクトルを用いて近接性ベースの発見を行うと、デバイス・ツー・デバイス通信を確立するための信頼性および品質向上を提供できる。
【００１２】
本明細書では、用語「発見信号」は、ネットワークデバイス、例えば、モバイルデバイスまたは他のネットワークデバイスの発見を可能にする１つ以上の信号を指すことができる。いくつかの態様において、発見信号は、ブロードキャストまたは別の方法で送信することができる。モバイルデバイスを発見するため、またはモバイルデバイスが発見されることを可能にするために、１つ以上の発見信号を用いることができる。
【００１３】
本明細書では、用語「デバイス・ツー・デバイス（「Ｄ２Ｄ」）通信」は、セルラーネットワークまたは他の電気通信システム上で動作し、１つのモバイルデバイスから別のモバイルデバイスへのデータ・トラフィックがセルラーネットワークまたは他の電気通信システム内の集中基地局または他のデバイスを通過しない通信のモードを指すことができる。データ・トラフィックは、第１のモバイルデバイスから第２のモバイルデバイスへＤ２Ｄ通信によって直接に送信される。様々な態様において、Ｄ２Ｄパケット送信に関わる制御シグナリングは、基礎をなすコアネットワークまたは基地局によってすべてまたはいくらかが管理または生成されてもよく、あるいは何も管理または生成されなくてもよい。
【００１４】
Ｄ２Ｄ通信は、任意の適切な電気通信規格に従って実装されたネットワークで用いることができる。かかる規格の非限定の例は、第３世代パートナーシップ・プロジェクト（「３ＧＰＰ：３ｒｄ  Ｇｅｎｅｒａｔｉｏｎ  Ｐａｒｔｎｅｒｓｈｉｐ  Ｐｒｏｊｅｃｔ」）ロング・ターム・エボリューション（「ＬＴＥ：Ｌｏｎｇ  Ｔｅｒｍ  Ｅｖｏｌｕｔｉｏｎ」）である。３ＧＰＰ規格は、第３および第４世代ワイヤレス通信システムに関して世界的に適用可能な技術仕様および技術レポートを規定することを目指した連携合意である。３ＧＰＰは、次世代モバイル・ネットワーク、システムおよびデバイスに関する仕様を規定する。３ＧＰＰ  ＬＴＥは、将来の要求に対処するためにユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。Ｅ−ＵＴＲＡＮは、Ｄ２Ｄ通信を用いることができる電気通信規格の別の非限定の例である。
【００１５】
本明細書では、用語「ライセンス取得周波数スペクトル」は、使用法が所管官庁によって規制される周波数スペクトルを含むことができる。いくつかの態様において、ライセンス取得周波数スペクトルは、政府規制当局によってライセンスされ、ライセンス取得者、例えば（以下には限定されないが）携帯電話会社によって特定の領域内のスペクトルへのアクセスおよびその使用が制御される、スペクトルのアロケーションを指すことができる。周波数スペクトルのライセンス取得者は、政府機関、民間団体、例えば（以下には限定されないが）携帯電話会社などを含むことができる。例えば、米国では、ライセンス取得周波数スペクトルは、連邦通信委員会によって規制された通信に用いられる周波数を含むことができる。例えば、ライセンス取得周波数スペクトルの様々な部分を軍事用途、公共安全、および商用サービス用に指定できる。そうする権利を有するエンティティのみがライセンス取得周波数スペクトルのそれぞれの部分の周波数バンドを用いることができる。商業用途の例は、広帯域ワイヤレス用途、パーソナル通信サービス（「ＰＣＳ：Ｐｅｒｓｏｎａｌ  Ｃｏｍｍｕｎｉｃａｔｉｏｎｓ  Ｓｅｒｖｉｃｅｓ」）セルラー用途、広帯域無線サービスなどを含むことができる。
【００１６】
本明細書では、用語「近接サービス）」（または「ＰｒｏＳｅ」）は、電気通信システムにおいて近接性発見および／またはＤ２Ｄ通信を実装するためのシステムおよび方法を指すことができる。いくつかの電気通信ネットワーク、例えば、進化型ユニバーサル地上無線アクセス・ネットワーク（「Ｅ−ＵＴＲＡＮ」）または世代パートナーシップ・プロジェクト（「３ＧＰＰ」）ロング・ターム・エボリューション（「ＬＴＥ」）ネットワークでは、近接サービスは、基地局装置（「ｅＮＢ：ｅｎｈａｎｃｅｄ  Ｎｏｄｅ  Ｂ」）を通じてデータをルーティングするための通信経路を確立することも含むことができる。
【００１７】
本明細書では、用語「モバイルデバイス」は、電気通信システム、例えば（以下には限定されないが）セルラーネットワークによって音声および／またはデータを通信するために用いられる電子デバイスを指すことができる。モバイルデバイスを指すために用いられる他の用語およびかかるデバイスの非限定の例は、移動局、端末装置（「ＵＥ：ｕｓｅｒ  ｅｑｕｉｐｍｅｎｔ」）、アクセス端末、加入者局、移動端末、遠隔局、ユーザ端末、端末、加入者ユニット、セルラーフォン、スマートフォン、携帯情報端末（「ＰＤＡ：ｐｅｒｓｏｎａｌ  ｄｉｇｉｔａｌ  ａｓｓｉｓｔａｎｔｓ」）、ラップトップコンピュータ、ネットブック、電子書籍リーダ、ワイヤレス・モデムなどを含むことができる。
【００１８】
本明細書では、用語「基地局」は、ワイヤレス通信を促進するか、または別の方法でモバイルデバイスと電気通信システムとの間のインターフェースを提供する任意のデバイスまたはデバイス群を指すことができる。基地局の非限定の例は、３ＧＰＰ仕様では、Ｎｏｄｅ  Ｂ（「ＮＢ」）、ｅｎｈａｎｃｅｄ  Ｎｏｄｅ  Ｂ（「ｅＮＢ」）、ｈｏｍｅ  ｅＮＢ（「ＨｅＮＢ」）またはその他の同様の用語を含むことができる。基地局の別の非限定の例は、アクセスポイントである。アクセスポイントは、モバイルデバイスのためにデータ・ネットワーク、例えば（以下には限定されないが）ローカルエリアネットワーク（ＬＡＮ：Ｌｏｃａｌ  Ａｒｅａ  Ｎｅｔｗｏｒｋ）、ワイドエリアネットワーク（ＷＡＮ：Ｗｉｄｅ  Ａｒｅａ  Ｎｅｔｗｏｒｋ）、インターネットなどへのアクセスを提供する電子デバイスである。本明細書に開示されるシステムおよび方法のいくつかの例は、所定の規格（例えば、３ＧＰＰリリース８、９、１０および／または１１）に関して記載されるが、本開示の範囲は、この点で限定されるべきではない。本明細書に開示されるシステムおよび方法の少なくともいくつかの態様は、他のタイプのワイヤレス通信システムに利用されてもよい。
【００１９】
本明細書では、用語「電気通信システム」は、情報を送信するために用いられるデバイスの任意のネットワークを指すことができる。電気通信システムの非限定の例は、セルラーネットワークまたは他のワイヤレス通信システムである。
【００２０】
本明細書では、用語「セルラーネットワーク」は、複数のセルにわたって分布し、各セルが少なくとも１つの固定位置トランシーバ、例えば、基地局によるサービスを享受するネットワークを指すことができる。「セル」は、インターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるために規格化または規制団体によって仕様が定められた任意の通信チャネルである。セルのすべてまたはそのサブセットは、基地局、例えばＮｏｄｅ  Ｂと、モバイルデバイス、例えばＵＥとの間の通信に用いられるライセンス取得バンド（例えば、周波数バンド）として３ＧＰＰによって採用される。ライセンス取得周波数バンドを用いたセルラーネットワークは、構成されたセルを含むことができる。構成されたセルは、モバイルデバイスが認識しており、情報を送信または受信することが基地局によって許容されたセルを含むことができる。
【００２１】
近接性は、近接性基準が満たされたことに基づいて確定される。近接性発見と近接通信とでは近接性基準が異なる。
【００２２】
本明細書では、用語「近接性発見」は、近接サービス発見（「ＰｒｏＳｅ発見」）とも呼ばれ、第１のモバイルデバイスが第２のモバイルデバイスに近接していることを確定するためのプロセスを指すことができる。
【００２３】
本明細書では、用語「近接通信」は、モバイルデバイスとそれに近接した他のネットワークデバイスとの間の通信チャネルを確立するためのプロセスを指すことができる。この通信チャネルは、近接サービス通信（「ＰｒｏＳｅ通信」）とも呼ばれる、Ｄ２Ｄ通信またはローカル基地局を通じたルーティングによって実装できる。
【００２４】
本明細書では、用語「トリガ条件」は、モバイルデバイスが、近接性発見手順を開始する、例えば（以下には限定されないが）発見信号を検出する、および／または、発見信号をブロードキャストまたは別の方法で送信することによって、応答することが必要とされる条件を指すことができる。トリガ条件の例は、（以下には限定されないが）近接性発見手順を開始するため、あるいは、別のネットワークデバイスを検出したことに応答して自動的に近接性発見手順を開始するためのスケジュールを含むことができる。トリガ条件の例は、（以下には限定されないが）発見信号のブロードキャストまたは送信を開始するため、あるいは、別のネットワークデバイスを検出したことに応答して自動的に発見信号のブロードキャストまたは送信を開始するためのスケジュールも含むことができる。
【００２５】
本明細書では、用語「許容条件」は、モバイルデバイスが近接性発見手順を開始することによって、応答することが許容される条件を指すことができる。いくつかの態様において、モバイルデバイスは、許容条件に応答してトリガ条件の検出を開始するように構成することができる。他の態様では、モバイルデバイスは、インターフェースにおける表示のためのプロンプトを生成する。プロンプトは、近接性発見信号送信手順を開始すべきかどうかに関してユーザからの入力をリクエストする。モバイルデバイスは、近接性発見信号送信手順の開始をリクエストするユーザ入力に応答して近接性発見信号送信手順を開始する。
【００２６】
これらの態様の詳細な説明が以下に考察される。これらの説明に役立つ例は、本明細書において考察される一般的な主題を読者に紹介するために示され、開示される概念の範囲を限定するものではない。以下の部分では、同様の数字が同様の要素を示す図面を参照して、様々なさらなる態様および例が記載される。例示的な態様を記載するために方向性を示す記載が用いられるが、これらの記載も、例示的な態様と同様に、本発明を限定するために用いられるべきではない。
【００２７】
図１は、一態様に従って、ライセンス取得周波数スペクトル１０６における近接サービスを用いた電気通信システム１００の例を示すブロック図である。
【００２８】
電気通信システム１００は、基地局１０２および２つ以上のモバイルデバイス１０４ａ、１０４ｂを含むことができる。基地局１０２は、それぞれの通信チャネル１０８ａ、１０８ｂでモバイルデバイス１０４ａ、１０４ｂとそれぞれ通信できる。通信チャネル１０８ａ、１０８ｂは、基地局によるサービスを享受するサービスカバレッジエリアにおいて基地局とモバイルデバイスとの間で通信を行うための任意の適切な方法によって確立できる。
【００２９】
Ｄ２Ｄ通信リンク１１０は、モバイルデバイス１０４ａ、１０４ｂ間の直接リンクを提供できる。Ｄ２Ｄ通信リンク１１０は、モバイルデバイス１０４ａ、１０４ｂが電気通信システム１００の基地局１０２または他のインフラストラクチャを通じてデータをルーティングすることなしにデータを交換することを可能にできる。いくつかの態様において、モバイルデバイス１０４ａ、１０４ｂは、図１に示されるようなライセンス取得周波数スペクトル１０６によってＤ２Ｄ通信リンク１１０を確立できる。他の態様では、モバイルデバイス１０４ａ、１０４ｂは、適切なライセンス未取得周波数スペクトルによってＤ２Ｄ通信リンク１１０を確立できる。ライセンス未取得周波数スペクトルによる通信リンク１１０の非限定の例は、ＷＬＡＮリンク、Ｂｌｕｅｔｏｏｔｈリンクなどを含む。Ｄ２Ｄリンクを確立するために特に有利な方法論の具体的な例は、その全体がすべての目的において参照により本明細書に組み込まれる、コシュネビス（Ｋｈｏｓｈｎｅｖｉｓ）らによる「デバイス・ツー・デバイス・リンクのためのリソースの割り当ておよび確定（Ａｌｌｏｃａｔｉｎｇ  ａｎｄ  Ｄｅｔｅｒｍｉｎｉｎｇ  Ｒｅｓｏｕｒｃｅｓ  ｆｏｒ  ａ  Ｄｅｖｉｃｅ−ｔｏ−Ｄｅｖｉｃｅ  Ｌｉｎｋ）」と題する、本出願と共通の譲受人に譲渡される米国特許出願第１３／４０８，９１０（代理人整理番号ＳＬＡ３１１６）に記載される。Ｄ２Ｄ通信リンク１１０を確立することは、モバイルデバイス１０４ａ、１０４ｂが互いに十分に近接していることを確定することを含む。
【００３０】
図２は、ライセンス取得周波数スペクトル１０６による近接サービス発見を用いた電気通信システム１００を示すブロック図である。
【００３１】
２つ以上のピアが互いに十分に近接していることを確定すること（すなわち、近接性発見）は、複数のプロトコル・レイヤによって情報を交換することを含むことができる。ピアは、（以下には限定されないが）別のピア・デバイスと通信するデバイス、および／または、別のアプリケーションとのアプリケーション通信を含むことができる。異なるピアでは、各レイヤが異なる長さまたはタイプの識別情報を有する。発見側または被発見側ピアは、モバイルデバイス、基地局、ネットワーク、サーバ、またはアプリケーションなどとすることができる。被発見側ピアを識別するために用いられるレイヤは、どのピアが発見側または被発見側ピアであるかを確定できる。発見に用いられるレイヤは、どのモバイルデバイス、基地局、ネットワーク、サーバ、またはアプリケーションが発見側または被発見側ピアであるかを確定できる。
【００３２】
いくつかの様態において、モバイルデバイスの発見は、モバイルデバイス１０４ａのような被発見側モバイルデバイスと、モバイルデバイス１０４ｂのような発見側モバイルデバイスとの間で近接性情報２０４ａを通信するために直接リンク２０２を用いることを含むことができる。直接リンク２０２は、ライセンス取得周波数スペクトル１０６によって確立できる。直接リンク２０２は、発見信号をブロードキャストまたは別な方法で送信するためにモバイルデバイス１０４ａのようなデバイスに割り当てられるか、または別の状況でそのデバイスによって用いられる、電気通信システム１００のリソースを含むことができる。例えば、モバイルデバイス１０４ｂは、モバイルデバイス１０４ａによってブロードキャストされた発見信号を対象としてライセンス取得周波数スペクトル１０６の周波数を連続的にスキャンできる。他の態様では、モバイルデバイスの発見は、通信チャネル１０８ｂによって基地局１０２と発見側モバイルデバイス１０４ｂとの間で近接性情報２０４ｂを通信することを含むことができる。他の態様では、モバイルデバイスの発見は、基地局１０２と発見側モバイルデバイス１０４ａとの間の通信チャネル１０８ａを用いることを含むことができる。
【００３３】
いくつかの態様において、基地局１０２は、信号の三角測量または他のネットワーク・ベースの方法を用いて、モバイルデバイス１０４ａ、１０４ｂの地理的な位置を確定できる。例えば、電気通信システム１００におけるデバイスは、モバイルデバイスと、最も近いワイヤレス・アクセスポイント（単数または複数）、基地局（単数または複数）などとの間で送信された通信信号の遅延に基づいてモバイルデバイスの位置を確定できる。かかるケースでは、モバイルデバイスの地理的な位置は、三角測量、到来時間差（「ＴＤＯＡ：ｔｉｍｅ  ｄｉｆｆｅｒｅｎｃｅ  ｏｆ  ａｒｒｉｖａｌ」）、または強化観測時間差（「Ｅ−ＯＴＤ：Ｅｎｈａｎｃｅｄ  Ｏｂｓｅｒｖｅｄ  Ｔｉｍｅ  Ｄｉｆｆｅｒｅｎｃｅ」）のような様々な技術を通じて確定される。当業者は、任意の他の位置ベースのサービス技術を用いてもよいことを理解するであろう。かかる他の技術の例は、通信デバイスの位置を確定するためにＢｌｕｅｔｏｏｔｈ、ＷＬＡＮ、赤外線および／またはＲＦＩＤ／近距離無線通信技術などの局所範囲の技術を用いるＮｅａｒ  ＬＢＳ（「ＮＬＢＳ」）；ＳＳ７のような電気通信シグナリング・プロトコルにおいて提供されるオペレータに依存しない位置データの使用；およびＣＯＭＡネットワークのためのコパイロット・ビーコン（Ｃｏ−ｐｉｌｏｔ  Ｂｅａｃｏｎ）、Ｂｌｕｅｔｏｏｔｈ、ＵＷＢ、ＲＦＩＤ、Ｗｉ−ＦｉおよびＷｉＭＡＸのようなローカル測位システムを含む。
【００３４】
他の態様では、基地局１０２は、モバイルデバイス１０４ａ、１０４ｂから受信した位置情報に基づいて、これらのモバイルデバイスの位置を確定できる。位置情報は、全地球測位システム（「ＧＰＳ：ｇｌｏｂａｌ  ｐｏｓｉｔｉｏｎｉｎｇ  ｓｙｓｔｅｍ」）または他の位置ベースのサービスを用いて生成できる。例えば、位置ベースのサービスは、全地球測位システムを用いて発呼デバイスの位置をモニタするためのＧＰＳチップおよび関連ソフトウェアまたはファームウェアを含む。加えて、または代わりに、位置ベースのサービスは、電気通信システム１００においてモバイルデバイス１０４ａが他のデバイス（例えば、ワイヤレス・アクセスポイント、基地局など）と通信するときにモバイルデバイス１０４ａによって生成されるか、および／または受信される信号をモニタするために用いられるソフトウェアを含む。この信号は、例えば、三角測量、またはＴＤＯＡ、Ｅ−ＯＴＤなどのような技術によって、特定の時刻におけるモバイルデバイス１０４ａの地理的な位置の指標を提供するか、または提供するために用いられる。
【００３５】
図３は、ライセンス取得周波数スペクトルにおけるモバイルデバイス１０４ａ、１０４ｂの近接サービス発見を制御するための基地局１０２の例を示すブロック図である。
【００３６】
本明細書に記載される機能性を実装するために、基地局１０２は、基地局１０２内の様々なモジュールに電気通信システム１００におけるモバイルデバイスの近接サービス発見を制御させるか、または別の方法で管理させるべく、メモリ３０４のような、コンピュータ可読媒体に記憶されたコードを実行できるプロセッサ３０２を含むことができる。プロセッサ３０２の非限定の例は、マイクロプロセッサ、周辺インターフェース・コントローラ（「ＰＩＣ：ｐｅｒｉｐｈｅｒａｌ  ｉｎｔｅｒｆａｃｅ  ｃｏｎｔｒｏｌｌｅｒ」）、特定用途向け集積回路（「ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ」）、フィールドプログラマブルゲートアレイ（「ＦＰＧＡ：ｆｉｅｌｄ−ｐｒｏｇｒａｍｍａｂｌｅ  ｇａｔｅ  ａｒｒａｙ」）、または他の適切なプロセッサを含む。プロセッサ３０２は、１つのプロセッサまたは任意の数のプロセッサを含んでもよい。
【００３７】
プロセッサ３０２は、メモリ３０４に記憶された命令にアクセスできる。メモリ３０４は、命令を具体的に実施することが可能な任意の非一時的なコンピュータ可読媒体であり、電子、磁気、または光デバイスを含むことができる。メモリ３０４の例は、ランダムアクセスメモリ（「ＲＡＭ：ｒａｎｄｏｍ  ａｃｃｅｓｓ  ｍｅｍｏｒｙ」）、リードオンリーメモリ（「ＲＯＭ：ｒｅａｄ−ｏｎｌｙ  ｍｅｍｏｒｙ」）、磁気ディスク、ＡＳＩＣ、構成されたプロセッサ、または他の記憶デバイスを含む。命令は、実行可能なコードとしてメモリ３０４に記憶できる。この命令は、任意の適切なコンピュータ・プログラミング言語、例えば、Ｃ、Ｃ＋＋、Ｃ＃、Ｖｉｓｕａｌ  Ｂａｓｉｃ、Ｊａｖａ、Ｐｙｔｈｏｎ、Ｐｅｒｌ、ＪａｖａＳｃｒｉｐｔおよびＡｃｔｉｏｎＳｃｒｉｐｔで書かれたコードからコンパイラおよび／またはインタプリタによって生成されたプロセッサ固有の命令を含むことができる。
【００３８】
基地局１０２は、情報生成モジュール３０６も含むことができる。情報生成モジュール３０６は、アンテナ３０９または任意の他の適切な送信デバイスによって送信されることになる、信号またはデータを生成するための任意のデバイスまたはデバイス群および／または任意の適切なソフトウェアを含むことができる。プロセッサ３０２は、モバイルデバイス１０４ａ、１０４ｂへ送信されることになる制御信号または他の制御情報を生成するための情報生成モジュール３０６を制御できる。制御信号または他の制御情報は、図５〜１３について以下にさらに詳細に説明されるように、電気通信システム１００におけるモバイルデバイスの発見を制御または管理することができる。
【００３９】
基地局１０２は、情報送信モジュール３０８も含むことができる。情報送信モジュール３０８は、アンテナ３０９および／または他の適切なデバイスによってモバイルデバイス１０４ａ、１０４ｂへ送信される信号を準備するための任意のデバイスまたはデバイス群および／または任意の適切なソフトウェアを含むことができる。アンテナ３０９によってモバイルデバイス１０４ａ、１０４ｂへ送信するための信号を準備することは、制御信号を生成すること、およびその制御信号をデータ、例えば、情報生成モジュール３０６によって生成された制御情報を用いて変調することを含むことができる。キャリア信号を変調するために、任意の適切な変調技術、例えば（以下には限定されないが）位相偏移変調（「ＰＳＫ：ｐｈａｓｅ  ｓｈｉｆｔ  ｍｏｄｕｌａｔｉｏｎ」）、直交振幅変調（「ＱＡＭ：ｑｕａｄｒａｔｕｒｅ  ａｍｐｌｉｔｕｄｅ  ｍｏｄｕｌａｔｉｏｎ」）などを用いることができる。
【００４０】
基地局１０２は、トリガ検出モジュール３１０も含むことができる。トリガ検出モジュール３１０は、図５〜１３について以下に記載されるように、電気通信システム１００におけるトリガ条件を検出するための任意のデバイスまたはデバイス群および／または任意の適切なソフトウェアを含むことができる。
【００４１】
ある態様の構成を示すために、基地局１０２に関する構成の例が提供される。もちろん、他の構成が利用されてよい。情報生成モジュール３０６、情報送信モジュール３０８、およびトリガ検出モジュール３１０は、参照を容易にするために、個別の物理または論理モジュールとして図３に示され、本明細書に記載されるが、他の実装も可能である。追加または代わりの態様では、情報生成モジュール３０６、情報送信モジュール３０８、および／またはトリガ検出モジュール３１０の２つ以上を共通のデバイス、デバイス群、および／またはソフトウェアエンジンによって実装することができる。基地局１０２に関する他の態様または代わりの実施形態は、コシュネビスらによる「デバイス・ツー・デバイス・リンクのためのリソースの割り当ておよび確定」と題する、本出願と共通の譲受人に譲渡された先述の米国特許出願第１３／４０８，９１０（代理人整理番号ＳＬＡ３１１６）に記載されており、参照により本明細書に組み込まれる。
【００４２】
図４は、近接サービス発見を行うためのモバイルデバイス１０４の例を示すブロック図である。
【００４３】
モバイルデバイス１０４は、モバイルデバイス１０４にモバイルデバイス１０４ａ、１０４ｂの近接サービス発見を制御させるか、または別の方法で管理させるべく、メモリ４０４のような、コンピュータ可読媒体に記憶された命令を実行できるプロセッサ４０２を含む。プロセッサ４０２の非限定の例は、マイクロプロセッサ、周辺インターフェース・コントローラ（「ＰＩＣ」）、特定用途向け集積回路（「ＡＳＩＣ」）、フィールドプログラマブルゲートアレイ（「ＦＰＧＡ」）、または他の適切なプロセッサを含む。プロセッサ４０２は、１つのプロセッサまたは任意の数のプロセッサを含んでもよい。
【００４４】
プロセッサ４０２は、メモリ４０４に記憶された命令にアクセスできる。メモリ４０４は、命令を具体的に実施することが可能な任意の非一時的なコンピュータ可読媒体であり、電子、磁気、または光デバイスを含むことができる。メモリ４０４の例は、ランダムアクセスメモリ（「ＲＡＭ」）、リードオンリーメモリ（「ＲＯＭ」）、磁気ディスク、ＡＳＩＣ、構成されたプロセッサ、または他の記憶デバイスを含む。命令は、実行可能なコードとしてメモリ４０４に記憶できる。命令は、任意の適切なコンピュータ・プログラミング言語、例えば、Ｃ、Ｃ＋＋、Ｃ＃、Ｖｉｓｕａｌ  Ｂａｓｉｃ、Ｊａｖａ、Ｐｙｔｈｏｎ、Ｐｅｒｌ、ＪａｖａＳｃｒｉｐｔ、およびＡｃｔｉｏｎＳｃｒｉｐｔで書かれたコードからコンパイラおよび／またはインタプリタによって生成されたプロセッサ固有の命令を含むことができる。
【００４５】
モバイルデバイス１０４は、制御モジュール４０６も含むことができる。いくつかの態様において、制御モジュール４０６は、図５〜１３について以下にさらに詳細に説明されるように、他のネットワークデバイスへブロードキャストまたは別の方法で送信されることになる発見信号を生成できる。追加または代わりの態様では、基地局１０２は、モバイルデバイス１０４による発見信号のブロードキャストまたは他の送信をトリガできる。モバイルデバイス１０４の制御モジュール４０６は、基地局１０２がモバイルデバイス１０４をトリガした後に、発見信号または他の発見信号を周期的に生成できる。
【００４６】
モバイルデバイス１０４は、信号検出モジュール４０８も含むことができる。信号検出モジュール４０８は、アンテナ４０９によって、または電気通信システム１００における他のデバイスから信号を受信できる。信号検出モジュール４０８は、受信信号からデータを復調するか、または別の方法で抽出することができる。
【００４７】
モバイルデバイス１０４は、信号送信モジュール４１０も含むことができる。信号送信モジュール４１０は、送信機コンポーネントおよび受信コンポーネントを含むことができる。信号送信モジュール４１０は、アンテナ４０９によって基地局１０２へ、または他のモバイルデバイス１０４ａ、１０４ｂへ送信するための信号を準備できる。送信のための信号を準備することは、例えば、データを送信するためにキャリア信号を変調することを含むことができる。キャリア信号を変調するために、任意の適切な変調技術、例えば（以下には限定されないが）位相偏移変調（「ＰＳＫ」）、直交振幅変調（「ＱＡＭ」）などを用いることができる。信号送信モジュール４１０は、ライセンス取得周波数スペクトル１０６によって信号をブロードキャストまたは別な方法で送信することができる。
【００４８】
モバイルデバイス１０４は、トリガ検出モジュール４１２、許容検出モジュール４１４、および／または調整モジュール４１６の１つ以上も含むことができる。トリガ検出モジュール４１２、許容検出モジュール４１４、および／または調整モジュール４１６は、図５〜１３について以下に詳細に記載されるように、モバイルデバイスが近接性発見のために自律または半自律モードで動作することを可能にするさらなる機能性を提供できる。
【００４９】
制御モジュール４０６、信号検出モジュール４０８、信号送信モジュール４１０、トリガ検出モジュール４１２、許容検出モジュール４１４、および調整モジュール４１６は、参照を容易にするために、個別の物理または論理モジュールとして図４に示され、本明細書に記載されるが、他の実装も可能である。追加または代わりの態様では、制御モジュール４０６、信号検出モジュール４０８、信号送信モジュール４１０、トリガ検出モジュール４１２、許容検出モジュール４１４、および／または調整モジュール４１６の２つ以上を共通のデバイス、デバイス群、および／またはソフトウェアエンジンによって実装することができる。
【００５０】
図５は、発見信号５０２をブロードキャストまたは別の方法で送信する例を示すモデリング図である。近接性ベースの発見は、到達可能性および被発見側モバイルデバイス１０４ａと発見側モバイルデバイス１０４ｂとの間の近接性をチェックするために、発見信号５０２のような、物理レイヤ信号を用いることを含むことができる。物理レイヤ信号は、発見信号送信手順を用いて発見されることができる被発見側モバイルデバイス１０４ａからの無線信号とすることができる。
【００５１】
例えば、発見されることが可能なモバイルデバイス１０４ａは、無線信号ブロードキャストのような、発見信号５０２をライセンス取得周波数スペクトル１０６によって送信またはブロードキャストすることができる。このように発見信号５０２をブロードキャストすると、モバイルデバイス１０４ａは、発見信号５０２を受信するか、または別の方法で検出するのに十分に被発見側モバイルデバイス１０４ａに近接した範囲内の発見側デバイスによって発見されることができる。発見側モバイルデバイス１０４ｂは、発見信号５０２を検出できる半径５０４内にあり、従って、被発見側モバイルデバイス１０４ａに十分に近接した範囲内に位置することができる。モバイルデバイス１０４ｃは、発見信号５０２を検出できる半径５０４外に位置し、モバイルデバイス１０４ｃがモバイルデバイス１０４ａを発見するのを防ぐことができる。追加または代わりの態様では、被発見側モバイルデバイス１０４ａは、発見信号５０２をセンシングする基地局によって発見されることができる。発見信号５０２の例は、（以下には限定されないが）近接サービス・サウンディング信号、近接サービス・ビーコン、ＬＴＥ上りリンク・サウンディング参照信号、ＬＴＥ下りリンク・サウンディング参照信号などを含むことができる。理解すべきは、３つのデバイス１０４ａ、１０４ｂ、１０４ｃすべてがモバイルである必要はないことである。
【００５２】
いくつかの態様において、発見信号５０２は、モバイルデバイス１０４ａを識別するための情報および／または構造を提供する。かかる情報は、例えば、モバイルデバイス１０４ａに割り当てられた固有の識別子を含むことができる。他の態様では、発見信号５０２は、モバイルデバイス１０４ａ、１０４ｂによって用いられることになる発見のタイプを識別するための情報および／または構造を提供する。発見のタイプの非限定の例は、物理レイヤ発見、ネットワーク・アクセス・レイヤ発見、およびアプリケーション・サービス・レイヤ発見を含むことができる。
【００５３】
他の態様では、発見信号５０２は、Ｄ２Ｄ通信チャネル１１０として用いることができる、通信チャネルの推定チャネル品質またはチャネル状態を識別するための情報および／または構造を提供する。例えば、発見信号５０２は、チャネル品質（例えば、受信電力、推定パスロス、推定信号対雑音比、推定受信品質、プリコーディング・マトリックス、空間多重に用いられる推定ランクなど）を推定するために用いられることになる参照信号を含むことができる。チャネル品質を推定することは、既知の信号、例えば、参照信号を送信機によって送信すること、参照信号を受信機によって受信すること、および、受信信号に関するチャネル推定アルゴリズム、例えば（以下には限定されないが）平均二乗誤差（「ＭＳＥ：ｍｅａｎ  ｓｑｕａｒｅｄ  ｅｒｒｏｒ」）推定を行うことを含むことができる。
【００５４】
いくつかの態様において、電気通信システム１００の基地局１０２または他のネットワーク制御デバイス（単数または複数）は、近接性ベースの通信を開始するための発見プロセスを制御できる。図６および７は、基地局１０２または他ネットワーク制御デバイスによって制御された、モバイルデバイス１０４ａ、１０４ｂまたは他のネットワークデバイスの近接サービス発見のための通信の流れの例を示すモデリング図である。基地局１０２または他ネットワーク制御デバイス（単数または複数）は、無線リソースの使用法を制御でき、発見信号５０２を送信するようにモバイルデバイス１０４ａをトリガするか、または別の方法で送信させることができる。モバイルデバイス１０４ａは、ライセンス取得周波数スペクトル１０６の１つ以上の周波数によって発見信号を別のモバイルデバイス１０４ｂへブロードキャストするか、または別の方法で送信することができる。
【００５５】
図６に示されるように、基地局１０２は、制御情報６０２をモバイルデバイス１０４ａへ送信できる。情報生成モジュール３０６は、制御情報６０２を用いて送信されることになるリクエスト情報６０４を生成できる。情報送信モジュール３０８は、制御情報６０２を生成できる。いくつかの態様において、情報送信モジュール３０８は、リクエスト情報６０４を含んだ制御情報６０２でキャリア信号を変調できる。情報送信モジュール３０８は、任意の適切なデバイス、例えば、アンテナ３０９によって制御情報６０２をモバイルデバイス１０４ａへ送信できる。
【００５６】
（発見信号のオーダ、発見信号のリクエスト、発見信号のトリガ、コマンド・メッセージなどとも呼ばれる）リクエスト情報６０４の非限定の例は、以下には限定されないが、ブロードキャスト・システム情報メッセージ、無線リソース制御（「ＲＲＣ：ｒａｄｉｏ  ｒｅｓｏｕｒｃｅ  ｃｏｎｔｒｏｌ」）メッセージ、メディア・アクセス制御（「ＭＡＣ：ｍｅｄｉａ  ａｃｃｅｓｓ  ｃｏｎｔｒｏｌ」）レイヤ・メッセージ、物理下りリンク制御チャネル（「ＰＤＣＣＨ：ｐｈｙｓｉｃａｌ  ｄｏｗｎｌｉｎｋ  ｃｏｎｔｒｏｌ  ｃｈａｎｎｅｌ」）シグナリングのような物理レイヤ・シグナリング、非アクセス層（「ＮＡＳ：ｎｏｎ−ａｃｃｅｓｓ  ｓｔｒａｔｕｍ」）レイヤ専用シグナリング・メッセージなどを含むことができる。ＮＡＳレイヤ・シグナリングは、基地局からモバイルデバイスへ送信される信号を用いることによってモビリティ管理エンティティ（「ＭＭＥ：ｍｏｂｉｌｉｔｙ  ｍａｎａｇｅｍｅｎｔ  ｅｎｔｉｔｙ」）からモバイルデバイスへ送信できる。
【００５７】
追加または代わりの態様では、リクエスト情報６０４は、ページング・チャネルまたはブロードキャスト・チャネル上で運ぶことができる。リクエスト情報６０４は、発見されることになる特定のデバイスを識別するための情報を含む。例えば、リクエスト情報６０４は、近接性発見信号送信手順を開始するためにモバイルデバイス１０４ａと関連付けられた固有のデバイス識別子を含むことができる。
【００５８】
いくつかの態様において、リクエスト情報６０４は、モバイルデバイス１０４ａがモバイルデバイス１０４ｂによってのみ発見できるか、または、モバイルデバイス１０４ｂとのみＤ２Ｄ通信チャネルを確立できるように、発見信号５０２をブロードキャストまたは別の方法で送信することをモバイルデバイス１０４ａに指示できる。特定の発見信号を生成するために用いられる情報は、リクエスト情報６０４によって提供される。他の態様では、特定のデバイスが発見信号を検出できるよう、発見信号５０２を暗号化、スクランブル、または符号化することができる。
【００５９】
基地局１０２は、例えば、近接サービスに関係する任意の情報または近接サービスに関係しない他の情報を根拠とした内部決定に基づいて、モバイルデバイス１０４ａが近接性発見信号送信手順を開始するかどうかを確定できる。近接サービスに関係する情報の非限定の例は、セル条件、例えば、ユーザの数、セル全体にわたるユーザ密度、ユーザのモビリティなどを含むことができる。近接性発見信号送信手順は、例えば、発見信号５０２を生成すること、発見信号５０２のブロードキャストまたは他の送信をスケジュールすること、発見信号５０２を送信するか、または別の方法でブロードキャストすること、トリガ条件を検出すること、許容条件を検出すること、発見信号５０２の生成または送信を停止することなどを含む。いくつかの態様において、発見信号５０２のトリガおよび／またはリソース・アロケーションに関する情報がリクエスト情報６０４に含められる。トリガおよび／またはリソース・アロケーションに関する情報は、トリガ条件および／または許容条件の識別を含むことができる。リクエスト情報は、トリガ条件を検出した後にのみ、および／または、許容条件が満たされたことに基づいて、近接性発見信号送信手順を開始することをモバイルデバイス１０４ａに指示できる。例えば、物理レイヤ・メッセージであるリクエスト情報は、近接性発見信号送信手順を開始することをモバイルデバイス１０４ａに指示するための１つ以上のビット、ならびに、トリガおよび／またはリソース・アロケーションに関する情報を記述した１つ以上の追加のビットを含むことができる。別の例では、上位レイヤ・シグナリング（例えば、ブロードキャスト・システム情報、ＲＲＣ専用シグナリング、またはＮＡＳ専用シグナリング）であるリクエスト情報６０４は、近接性発見信号送信手順を開始することをモバイルデバイス１０４ａに指示するための１つ以上の情報要素を含むことができる。１つ以上の情報要素は、発見信号５０２のためのリソース・アロケーションおよび／またはシーケンス・インデックスを含む。別の例では、リクエスト情報６０４は、発見信号送信のタイプ、発見信号送信の周期、発見信号送信のための時間−周波数リソース、および／または発見信号のシーケンス・インデックスを含むことができる。発見信号送信のタイプの非限定の例は、周期的な発見シグナリング、非周期的な発見シグナリング、条件付きの周期的な発見シグナリングを含むことができる。
【００６０】
追加または代わりの態様では、基地局１０２は、近接性発見信号送信手順を開始することをモバイルデバイス１０４ａに命令すべきかどうかを決定するために、モバイルデバイス１０４ａから基地局１０２へ送信された情報を用いる。かかるモバイルデバイスに支援された情報の非限定の例は、近接サービスに対するサービス・リクエストである。例えば、ＵＭＴＳワイヤレス電気通信プロトコルを用いたモバイルデバイスのＮＡＳレイヤは、モバイルデバイスのＡＳ（「ａｃｃｅｓｓ  ｓｔｒａｔｕｍ（アクセス層」）レイヤが発見信号５０２に関わるリクエスト信号を送信することをリクエストできる。モバイルデバイスのＡＳレイヤは、リクエスト信号を基地局１０２へ送信できる。別の非限定の例は、サービス・リクエストを基地局１０２または他のネットワーク制御デバイスのＮＡＳへ送信するモバイルデバイスのＮＡＳレイヤを含むことができる。基地局１０２のＮＡＳは、基地局１０２がリクエスト情報６０４をモバイルデバイス１０４ａへ送信することをリクエストするメッセージを基地局１０２のＡＳレイヤへ送信できる。ＡＳレイヤ・シグナリングの非限定の例は、以下には限定されないが、ブロードキャスト・システム情報メッセージ、無線リソース制御（「ＲＲＣ」）メッセージ、メディア・アクセス制御（「ＭＡＣ」）レイヤ・メッセージ、物理下りリンク制御チャネル（「ＰＤＣＣＨ」）シグナリングのような物理レイヤ・シグナリングを含むことができる。
【００６１】
いくつかの態様において、制御情報６０２は、専用ＮＡＳレイヤ・シグナリングによって送信できる。制御情報６０２は、基地局１０２からモバイルデバイス１０４ａへ直接に送信される信号を用いることによって、モバイルデバイス１０４ａへ送信できる。他の態様では、制御情報６０２は、ＲＲＣシグナリングによって送信できる。制御情報６０２は、基地局１０２からモバイルデバイス１０４ａへブロードキャストおよび／または専用シグナリングによって送信できる。
【００６２】
モバイルデバイス１０４ａの信号検出モジュール４０８は、制御情報６０２からのリクエスト情報６０４を復調するか、または別の方法で抽出することができる。制御モジュール４０６は、信号検出モジュール４０８からリクエスト情報６０４を受信できる。制御モジュール４０６は、リクエスト情報６０４を受信したことに応答して近接性発見信号送信手順を開始できる。近接性発見信号送信手順を開始することは、発見信号５０２をブロードキャストまたは別の方法で送信することを含むことができる。信号送信モジュール４１０は、リクエスト情報６０４に応答して発見信号５０２を生成できる。信号送信モジュール４１０は、発見信号５０２を生成できる。信号送信モジュール４１０は、発見信号５０２を生成できる。例えば、信号送信モジュール４１０は、発見情報を含むようにキャリア信号を変調し、それによって発見信号５０２を生成できる。信号送信モジュール４１０は、リクエスト情報６０４に応答して発見信号５０２をブロードキャストまたは別の方法で送信することを開始できる。信号送信モジュール４１０は、発見信号５０２をアンテナ４０９によってブロードキャストまたは別の方法で送信することができる。発見信号５０２は、ライセンス取得周波数スペクトル１０６の１つ以上の周波数によって送信できる。モバイルデバイス１０４ｂは、発見信号５０２を受信するか、または別の方法で検出し、それによって、モバイルデバイス１０４ａがモバイルデバイス１０４ｂに近接していることを発見できる。
【００６３】
ネットワーク制御された近接サービス発見のための通信の流れの別の例が図７に示される。ネットワーク７０２は、装置７１０によってリソース７１２の発見を制御できる。ネットワーク７０２は、任意のネットワーク制御デバイス、例えば（以下には限定されないが）基地局１０２を含むことができる。装置７１０は、発見信号送信手順を開始するように構成された任意のデバイス、例えば（以下には限定されないが）モバイルデバイス１０４ａを含むことができる。リソース７１２は、発見信号５０２を検出するように構成された任意のデバイスまたはデバイス群、例えば（以下には限定されないが）モバイルデバイス１０４ｂを含むことができる。
【００６４】
装置７１０は、オーダ７０８を受信したことに基づいて発見信号５０２をブロードキャストまたは別の方法で送信することができる。いくつかの態様において、装置７１０は、オーダ７０８を受信した後にのみ発見を開始できる。オーダ７０８の非限定の例は、制御情報６０２および／またはリクエスト情報６０４を含むことができる。
【００６５】
追加または代わりの態様では、装置７１０は、オーダ７０８を受信した後に、発見信号５０２を周期的にブロードキャストまたは別の方法で送信し始めることができる。装置７１０は、発見を停止することを装置７１０に指示するさらなるオーダを受信した後に、発見信号５０２を周期的にブロードキャストまたは別の方法で送信するのを停止することができる。
【００６６】
追加または代わりの態様では、モバイルデバイスは、基地局または他のネットワーク制御デバイスから許容情報を受信したことに応答して近接サービス発見信号送信手順を半自律的に開始できる。図８〜９は、近接サービス発見信号送信手順を半自律的に開始するモバイルデバイス１０４ａまたは他のネットワークデバイスのための通信の流れの例を示すモデリング図である。図８に示されるように、基地局１０２または他のネットワーク制御デバイスは、制御情報６０２を用いて送信された許容情報８０２によって無線リソースの使用法を制御できる。モバイルデバイス１０４ａは、発見信号５０２をブロードキャストまたは別の方法で送信するための発見信号送信手順を開始できる。基地局１０２は、モバイルデバイス１０４ａによる発見信号の送信が許容されるかどうかを決定できる。基地局１０２は、許容情報８０２をモバイルデバイス１０４ａへ通信すべきかどうか、および、いつすべきかを決定できる。ＰｒｏＳｅ対応のモバイルデバイスまたは他のネットワークデバイスは、許容情報８０２によって近接サービスを用いるべきかどうかを構成できる。
【００６７】
基地局１０２は、制御情報６０２をモバイルデバイス１０４ａへ送信できる。情報生成モジュール３０６は、制御情報６０２を用いて送信されることになる許容情報８０２を生成できる。許容情報８０２の非限定の例は、以下には限定されないが、ブロードキャスト・システム情報メッセージ、無線リソース制御メッセージ、メディア・アクセス制御レイヤ・メッセージ、または物理レイヤ・メッセージを含むことができる。情報送信モジュール３０８は、許容情報８０２を含んだ制御情報６０２を生成できる。情報送信モジュール３０８は、アンテナ３０９によって制御情報６０２をモバイルデバイス１０４ａへ送信できる。
【００６８】
モバイルデバイス１０４ａの信号検出モジュール４０８は、許容情報８０２を制御情報６０２から復調するか、または別の方法で抽出することができる。許容情報８０２は、近接性発見信号送信手順を開始することをモバイルデバイス１０４ａに指示できる。許容情報８０２は、発見信号送信がトリガまたはスケジュールされていれば、発見信号を生成することをモバイルデバイス１０４ａに指示できる。モバイルデバイス１０４ａのプロセッサ４０２は、許容情報８０２を受信できる。モバイルデバイス１０４ａのプロセッサ４０２は、許容情報８０２を受信したことに応答してトリガ条件８０４を検出するようにトリガ検出モジュール４１２を制御できる。
【００６９】
いくつかの態様において、トリガ条件８０４は、発見信号５０２を送信するためのスケジュールに基づくことができる。トリガ検出モジュール４１２は、発見信号を生成すべきかどうかを確定するためにスケジューリング・アルゴリズムを実行できる。他の態様では、トリガ条件８０４は、許容情報８０２の受信に対応することができる。モバイルデバイス１０４ａは、発見信号５０２を送信する許可が与えられたことをモバイルデバイス１０４ａに通知する許容情報８０２に基づいて発見信号５０２を生成し、送信することができる。例えば、モバイルデバイス１０４ａは、許容されている間は、所定のタイミングで発見信号５０２を送信するように構成される。この構成は、サブスクリプションのときに、あるいは、基地局１０２または他のネットワークデバイス（単数または複数）からのシグナリングによって行うことができる。他の態様では、モバイルデバイス１０４ａは、内部トリガに基づいて発見信号５０２を生成し、送信することができる。例えば、モバイルデバイス１０４ａのＡＳレイヤは、モバイルデバイス１０４ａの上位レイヤ（例えば、ＮＡＳまたはアプリケーション・レイヤ）からのリクエストに応答して発見信号５０２の送信をトリガできる。上位レイヤ・シグナリングは、ユーザが近接サービスを手動で設定するケース、アプリケーション・レイヤのサービス・リクエストのケースなどを含むことができる。他の態様では、トリガ条件８０４は、モバイルデバイス１０４ａがモバイルデバイス１０４ｂを発見することを含むことができる。モバイルデバイス１０４ａは、モバイルデバイス１０４ｂを発見したことに応答して発見信号５０２を送信できる。当業者は、他のトリガ条件を思い付くであろう。
【００７０】
モバイルデバイス１０４ａは、図６について上に記載されたように、ブロードキャストまたは別の方法で送信されることになる発見信号５０２を生成できる。
【００７１】
近接サービス発見信号送信手順を半自律的に開始するモバイルデバイスのための通信の流れの別の例が図９に示される。ネットワーク７０２は、許容情報８０２を装置７１０に提供できる。装置７１０は、許容情報８０２を受信したことに応答してトリガ条件８０４を検出できる。装置７１０は、トリガ条件８０４を検出したことに基づいて発見信号５０２をブロードキャストまたは別の方法で送信することができる。追加または代わりの態様では、装置７１０は、トリガ条件８０４を検出した後に、発見信号５０２を周期的にブロードキャストまたは別の方法で送信し始めることができる。装置７１０は、停止条件を検出した後に、発見信号５０２を周期的にブロードキャストまたは別の方法で送信するのを停止することができる。
【００７２】
追加または代わりの態様では、基地局１０２およびモバイルデバイス１０４ａが無線リソースの使用法を制御できる。図１０〜１１は、基地局１０２または他のネットワーク制御デバイス、および、モバイルデバイス１０４ａまたは他のネットワークデバイスが無線リソースの使用法を制御できる通信の流れの例を示すモデリング図である。モバイルデバイス１０４ａは、近接サービス発見信号送信手順を開始することもできる。
【００７３】
図１０に示されるように、基地局１０２は、許容情報８０２を含んだ制御情報６０２を図８について上に記載されたのと同様にモバイルデバイス１０４ａへ送信できる。許容情報８０２は、トリガ条件８０４および許容条件１００２を検出したことに応答して発見信号５０２を生成することをモバイルデバイス１０４ａに指示できる。トリガ検出モジュール４１２は、モバイルデバイス１０４ａにトリガ条件８０４を検出させるように構成できる。許容検出モジュール４１４は、モバイルデバイス１０４ａに許容条件１００２を検出させるように構成できる。
【００７４】
許容条件１００２の非限定の例は、基地局１０２によって提供されるネットワーク・カバレッジの検出、他のモバイルデバイスの信号電力の検出、ある信号の欠如、予め設定された／構成されたリトライ周期、モバイルデバイスがネットワークまたは基地局に接続するかどうかの確定、モバイルデバイスがネットワーク・カバレッジの範囲外であるかどうかの確定、モバイルデバイスがある時間および／または周波数および／またはコード・リソース上の閾値を超える信号電力を検出するかどうかの確定、最新の発見信号を送信した後のタイマの任意の期限満了の１つ以上を含むことができる。モバイルデバイス１０４ａは、図６について上に記載されたように発見信号５０２を生成できる。
【００７５】
近接サービス発見信号送信手順を半自律的に開始するモバイルデバイスのための通信の流れの別の例が図１１に示される。ネットワーク７０２は、許容情報８０２を装置７１０に提供できる。装置７１０は、許容情報８０２を受信したことに応答して許容条件１００２をモニタできる。装置７１０は、許容条件１００２が満たされたことに基づいてトリガ条件８０４を検出できる。装置７１０は、トリガ条件８０４を検出したことに基づいて発見信号５０２をブロードキャストまたは別の方法で送信することができる。追加または代わりの態様では、装置７１０は、トリガ条件８０４を検出した後に、かつ許容条件１００２が満たされている間に、発見信号５０２を周期的にブロードキャストまたは別の方法で送信し始めることができる。装置７１０は、停止条件を検出した後に、または許容条件１００２がもはや満たされないことに基づいて、発見信号５０２を周期的にブロードキャストまたは別の方法で送信するのを停止することができる。
【００７６】
追加または代わりの態様では、モバイルデバイス１０４ａは、基地局１０２または他のネットワーク制御デバイスによる制御なしに近接サービス発見を自律的に開始できる。いくつかの態様において、基地局１０２は、近接サービス発見信号送信のための自律モードに入ることをモバイルデバイス１０４ａに指示できる。他の態様では、基地局１０２は、近接サービス発見信号送信のための自律モードに入る許可が与えられたことをモバイルデバイス１０４ａに通知できる。
【００７７】
図１２〜１３は、近接サービス発見信号送信手順を自律的に開始するモバイルデバイス１０４ａまたは他のネットワークデバイスのための通信の流れの代わりの例を示すモデリング図である。
【００７８】
図１２に示されるように、モバイルデバイス１０４ａは、トリガ条件８０４を検出したことに応答して、および／または、許容条件１００２の下で、基地局１０２によってそうするように指示されることなしに発見信号５０２を生成できる。許容条件１００２の非限定の例は、基地局１０２によって提供されるネットワーク・カバレッジの検出、モバイルデバイス１０４ｂの信号電力の検出などを含むことができる。トリガ検出モジュール４１２は、トリガ条件８０４を検出できる。許容検出モジュール４１４は、許容条件１００２を検出できる。モバイルデバイス１０４ａは、図６について上に記載されたように発見信号５０２を生成できる。
【００７９】
近接サービス発見信号送信手順を自律的に開始するモバイルデバイスのための通信の流れの別の例が図１３に示される。装置７１０は、装置７１０がネットワーク７０２から何かの通信を受信することに関係なく、許容条件１００２をモニタできる。装置７１０は、許容条件１００２が満たされたことに基づいてトリガ条件８０４を検出できる。装置７１０は、トリガ条件８０４を検出したことに基づいて発見信号５０２をブロードキャストまたは別の方法で送信することができる。追加または代わりの態様では、装置７１０は、トリガ条件８０４を検出した後に、かつ許容条件１００２が満たされている間に、発見信号５０２を周期的にブロードキャストまたは別の方法で送信し始めることができる。装置７１０は、停止条件を検出した後に、または、許容条件１００２がもはや満たされないことに基づいて、発見信号５０２を周期的にブロードキャストまたは別の方法で送信するのを停止することができる。
【００８０】
追加または代わりの態様では、モバイルデバイスは、図６〜７について上に記載されたようなネットワーク制御モードと、図８〜１１について上に記載されたような半自律モードと、図１２〜１３について上に記載されたような自律モードとの間で切り替えることができる。いくつかの態様において、モード間の切り替えは、モバイルデバイスにおける方針設定に基づいて行うことができる。他の態様では、モード間の切り替えは、モバイルデバイスへのユーザ入力に応答して行うことができる。
【００８１】
モード切り替え型モバイルデバイスの一例は、ネットワーク・カバレッジが利用できないときに自動的に近接サービスを用いることができる公共安全デバイスである。加えて、または代わりに、たとえネットワーク・カバレッジが利用できても、オペレータは、直接的な発見および通信を用いるようにモバイルデバイスを手動で設定できる。公共安全デバイスは、公共安全および商用ネットワーク・スペクトルの両方で動作できる。公共安全デバイスは、商用ネットワーク・スペクトル上では商用デバイスのような典型的なモバイルデバイスとして機能できる。公共安全デバイスがカバレッジ外を検出したときはいつでも、あるいは、オペレータがモバイルデバイスを手動で構成するときに、公共安全デバイスは、公共安全ネットワーク・スペクトル上で発見信号５０２を送信するように構成できる。切り替えメカニズムの例は、公共安全デバイスが公共安全スペクトルから商用ネットワーク・スペクトルへ移るか、または接続する場合に、公共安全デバイスが近接サービス発見信号送信の自律モードからネットワーク制御モードまたは半自律モードへ切り替えることである。公共安全デバイスが公共安全スペクトル上にあれば、公共安全デバイスは、近接サービス発見信号送信のネットワーク制御モード、半自律モード、または自律モードのいずれも用いることができる。
【００８２】
切り替えメカニズムの別の例は、ネットワーク・シグナリングを用いることである。モバイルデバイスは、ネットワーク制御モードをデフォルトとしてサポートできる。基地局１０２または他のネットワーク制御デバイスは、ブロードキャスト・システム情報、ＲＲＣ専用シグナリング、物理レイヤ・シグナリング、ＭＡＣ制御要素、またはＮＡＳ専用シグナリングを用いることによって、近接サービス発見の半自律モードを用いることをモバイルデバイスに指示できる。基地局１０２または他のネットワーク制御デバイスは、発見信号送信手順を開始するのに十分なネットワーク・リソース（例えば、バンド幅）が基地局１０２またはモバイルデバイス１０４ａの１つ以上に利用可能かどうかに基づいて、近接サービス発見の半自律モードを用いることをモバイルデバイスに指示する。別の例では、モバイルデバイスは、近接サービス発見送信の半自律モードをデフォルトとしてサポートする。基地局１０２または他のネットワーク制御デバイスは、近接サービス発見信号送信手順を開始するためのリクエスト情報またはリクエストをモバイルデバイス１０４ａへ送信することによって、デフォルトの半自律モードをオーバーライドすることができる。かかるリクエストは、例えば、ブロードキャスト・システム情報、ＲＲＣ専用シグナリング、物理レイヤ・シグナリング、ＭＡＣ制御要素、またはＮＡＳ専用シグナリングを用いて行うことができる。
【００８３】
いくつかの態様において、モバイルデバイス１０４ａは、制御情報６０２または制御情報６０２を受信すると、発見信号５０２を周期的に送信できる。モバイルデバイス１０４ａは、許容条件が満たされたこと、モバイルデバイス１０４ａが再構成されないこと、および／または、モバイルデバイス１０４ａが発見信号５０２を周期的に送信するのを停止するためのコマンドを受信しないことに基づいて、発見信号５０２を周期的に送信できる。他の態様では、モバイルデバイス１０４ａは、リクエスト情報６０４または許容情報８０２を含んだ制御情報６０２を受信したことに応答して一度、発見信号５０２を送信できる。他の態様では、モバイルデバイス１０４ａは、トリガ条件を検出したことに応答して発見信号５０２を周期的に送信でき、停止条件を検出したことに応答して発見信号５０２を送信するのを停止することができる。
【００８４】
追加または代わりの態様では、モバイルデバイス１０４ａは、調整モジュール４１６を含むことができる。調整モジュール４１６は、電気通信システム１００の他のモバイルデバイスのための無線リソースを調整できる。モバイルデバイス１０４ａは、他のモバイルデバイスへの送信のために、制御情報６０２と同様の制御信号を生成できる。モバイルデバイス１０４ａは、基地局１０２または他のネットワーク制御デバイスから受信した制御メッセージ、例えば、無線リソースを調整する特権を指定する制御メッセージに応答して調整モジュール４１６をアクティブ化できる。無線リソースを調整することは、モバイルデバイス１０４ａによって調整された１つ以上のモバイルデバイスが、発見信号を送信することを許容されるかどうかを確定することを含むことができる。モバイルデバイス１０４ａによって調整されたモバイルデバイスは、基地局１０２、モバイルデバイス１０４ａ、または他のネットワーク制御デバイスによって生成された制御信号に応答できる。
【００８５】
図５〜１３は、近接性発見および／またはＤ２Ｄ通信のために別のモバイルデバイスを発見するモバイルデバイスを示すが、他の実装も可能である。追加または代わりの態様では、モバイルデバイスは、ローカル基地局、または、モバイルデバイスと直接に通信するように構成されたデスクトップコンピュータのような他の固定ネットワークデバイスを含めて、通信に利用可能な電気通信システムにおける任意のデバイスを発見できる。
＜一般的な考察＞
【００８６】
本発明の態様の上述の説明は、図示された態様を含めて、図示および説明のためにのみ提示され、網羅的ではなく、本発明を開示される通りの形態に限定するものでもない。本発明の範囲から逸脱しないこれらの態様の多くの修正、適応、および使用が当業者には明らかであろう。
【００８７】
ソフトウェアまたはコードを備える本明細書に記載される任意のロジックまたはアプリケーションは、例えば、コンピュータシステムまたは他のシステムにおけるプロセッサのような、計算システムによって、または計算システムに接続して用いるための非一時的なコンピュータ可読媒体において実施できる。この意味で、ロジックは、例えば、コンピュータ可読媒体からフェッチできて、計算機システムによって実行できる命令および宣言を含んだステートメントを備える。
【００８８】
本開示のコンテキストでは、「コンピュータ可読媒体」は、計算システムによって、または計算システムに接続して用いるために、本明細書に記載されるロジックまたはアプリケーションを入れる、記憶する、保持する、または別の方法で含みうる任意の媒体を含むことができる。コンピュータ可読媒体は、例えば、磁気、光、または半導体メディアのような、多くの物理メディアのいずれか１つを備えることができる。適切なコンピュータ可読媒体のさらに具体的な例は、以下には限定されないが、磁気テープ、磁気フロッピーディスク、磁気ハードドライブ、メモリカード、ソリッドステートドライブ、ＵＳＢフラッシュドライブ、光ディスクなどを含むことができる。コンピュータ可読媒体は、ランダムアクセスメモリ（「ＲＡＭ」）であってもよい。ＲＡＭの例は、（以下には限定されないが）スタティックランダムアクセスメモリ（「ＳＲＡＭ：ｓｔａｔｉｃ  ｒａｎｄｏｍ  ａｃｃｅｓｓ  ｍｅｍｏｒｙ」）、ダイナミックランダムアクセスメモリ（「ＤＲＡＭ：ｄｙｎａｍｉｃ  ｒａｎｄｏｍ  ａｃｃｅｓｓ  ｍｅｍｏｒｙ」）、磁気ランダムアクセスメモリ（「ＭＲＡＭ：ｍａｇｎｅｔｉｃ  ｒａｎｄｏｍ  ａｃｃｅｓｓ  ｍｅｍｏｒｙ」）などを含むことができる。コンピュータ可読媒体は、リードオンリーメモリ（「ＲＯＭ」）、プログラマブルリードオンリーメモリ（ＰＲＯＭ：ｐｒｏｇｒａｍｍａｂｌｅ  ｒｅａｄ−ｏｎｌｙ  ｍｅｍｏｒｙ）、消去可能プログラマブルリードオンリーメモリ（「ＥＰＲＯＭ：ｅｒａｓａｂｌｅ  ｐｒｏｇｒａｍｍａｂｌｅ  ｒｅａｄ−ｏｎｌｙ  ｍｅｍｏｒｙ」）、電気的消去可能プログラマブルリードオンリーメモリ（「ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ」）、または他のタイプのメモリデバイスであってもよい。
【００８９】
強調すべきは、上記の例が本開示の原理を明確に理解するために可能な実装を提示したに過ぎないことである。本開示の精神および原理から実質的に逸脱することなく、上記の例に多くの変更および修正がなされてもよい。すべてのかかる修正および変更は、本開示の範囲内に含まれ、添付の特許請求の範囲によって保護されるものとする。
【図１】
0006436902.tif 000002
【図２】
0006436902.tif 000003
【図３】
0006436902.tif 000004
【図４】
0006436902.tif 000005
【図５】
0006436902.tif 000006
【図６】
0006436902.tif 000007
【図７】
0006436902.tif 000008
【図８】
0006436902.tif 000009
【図９】
0006436902.tif 000010
【図１０】
0006436902.tif 000011
【図１１】
0006436902.tif 000012
【図１２】
0006436902.tif 000013
【図１３】
0006436902.tif 000014